(57)【特許請求の範囲】
【請求項１】
入力文字列に応じた印影模様を、装置に装填されている印章の印面部材に形成させる印章作成装置において、
文字列及び印刷属性でなる印影模様情報をそれぞれ別個のファイルとして、１又は複数個記憶するファイル記憶手段と、
このファイル記憶手段に対して何個のファイルがどの領域に記憶されているかのファイルの記憶状況を管理する管理情報であって、上記ファイル記憶手段に記憶されている各ファイルについて、新たな記憶がなされたときに装填されていた印章種類の情報をも含む上記管理情報を記憶しているファイル管理テーブルと、
登録指示時に、上記ファイル管理テーブルに格納されている管理情報を参照し、上記ファイル記憶手段に空きがある場合には上記ファイル記憶手段に新たなファイルを記憶させる登録部と、上記ファイル管理テーブルに格納されている管理情報を参照して、上記ファイル記憶手段に記憶されている１又は複数のファイルの中から指示されたファイルを呼出す呼出部とを少なくとも備えたファイル編集管理手段とを有し、
上記呼出部は上記ファイル記憶手段に記憶されているファイルの中から任意の１つのファイルを呼出す指示がなされたときに、装置に装填されている第１の印章種類と、呼び出そうとするファイルについて上記管理情報が規定する第２の印章種類との関係が所定の関係のときのみ呼出を認めることを特徴とする印章作成装置。
【請求項２】
上記呼出部が呼出指示されたファイルの呼出を認める上記所定の関係は、第１の印章種類が第２の印章種類とほぼ相似形であって、第１の印章種類の大きさが第２の印章種類の大きさと等しいかこれよりも大きいという関係であることを特徴とする請求項１に記載の印章作成装置。
【請求項３】
入力文字列に応じた印影模様を、装置に装填されている印章の印面部材に形成させる印章作成装置において、
文字列入力状態における、装填されている印章の交換を検出する装填印章交換検出手段と、
この装填印章交換検出手段によって印章の交換が検出された場合において、交換後の印章種類が交換前の印章種類と同一であるとき、及び、交換後の印章種類が交換前の印章種類と同一ではなくても所定の関係があるときに、交換前の入力文字列を維持させ、上記以外のときに交換前の入力文字列を全消去させる文字列維持消去制御手段と
を有することを特徴とする印章作成装置。
【請求項４】
上記所定の関係が、交換後の印章種類が、交換前の印章種類とほぼ相似形であって、大きさが交換前の印章種類の大きさより大きいという関係であることを特徴とする請求項３に記載の印章作成装置。
【発明の詳細な説明】
【０００１】
【発明の属する技術分野】
本発明は、入力文字列（記号や絵文字などを含む概念とする）に応じた印影模様を印面部材に形成させる印章作成装置に関するものである。
【０００２】
【従来の技術】
今日、企業や家庭において手軽に印章を作成できる印章作成装置が普及してきた。このような印章作成装置は、文字列の入力機能から見れば、パソコンやワープロなどの他の情報処理装置とほぼ同様である。
【０００３】
ところで、印章作成装置が対象とする印章種類は複数用意されており、各印章種類で印面の大きさや形状は異なっている。すなわち、印章種類によって、入力行数や各行の文字数の許容値が規定されている。そのため、従来の印章作成装置においては、印影模様が形成される前の未刻印印章の装填を条件として、入力文字列の取り込みを行い、表示部に入力文字列が表示されている状態での起動により、未刻印印章に、入力文字列に応じた印影模様の形成（刻印）を実行させるようにしている。
【０００４】
ここで、表示部に入力文字列が表示されている状態で、装填されている未刻印印章が他の印章種類に切り換えられた際には、入力行数や各行の文字数の許容値が今までとは異なるため、入力文字列を全消去し、新たに入力文字列を入力させるようにしている。なお、同一種類の未刻印印章に切り換えられた際には、入力文字列は消去されず、入力文字列の一部を修正して刻印させるようなこともできる。
【０００５】
ワープロにおいても、用紙サイズを指定して入力文字列を入力させるが、周知のように、ワープロの場合、用紙サイズを切り換えても、１枚の用紙での行数や文字数の配分を変えることで容易に対応できるので、入力文字列が消去されることはない。
【０００６】
【発明が解決しようとする課題】
ところで、複数の印章種類の中には、印面の形状がほぼ相似形の関係にあるものがある。そして、このような関係の複数の印章種類に対して、ユーザが同一文字列の印影模様を形成させたいことも生じる。例えば、認印の種類として、印面の大きさが異なる２種類がある場合、その印面に形成させたい文字列は、ユーザの姓であり、同一である。
【０００７】
しかしながら、従来の印章作成装置では、装填されている印章種類を変更した場合には、入力文字列が全消去されるので、例えば、一方の認印種類に対する印影模様の形成が終了し、他方の認印種類の印影模様の形成操作では文字列の入力から実行しなければならない。
【０００８】
また、同一文字列ではなくても、その一部だけを修正した文字列を異なる印章種類の印影模様とする場合にも、従来の印章作成装置では、各印章種類ごとの作成操作において文字列の入力から始めなければならない。
【０００９】
すなわち、従来の印章作成装置では、ある印章種類について入力された文字列を、他の印章種類の文字列として利用することができず、ユーザが文字列を入力し直す他なく、使い勝手が悪いという課題を有するものであった。
【００１０】
そのため、印章種類によって入力行数や各行の文字数の許容値が異なっていても、ある印章種類について入力された文字列の全て又は一部を、必要に応じて、他の印章種類の入力文字列として流用することができる印章作成装置が求められている。
【００１１】
【課題を解決するための手段】
かかる課題を解決するため、第１の本発明は、入力文字列に応じた印影模様を、装置に装填されている印章の印面部材に形成させる印章作成装置において、（１）文字列及び印刷属性でなる印影模様情報をそれぞれ別個のファイルとして、１又は複数個記憶するファイル記憶手段と、（２）このファイル記憶手段に対して何個のファイルがどの領域に記憶されているかのファイルの記憶状況を管理する管理情報であって、上記ファイル記憶手段に記憶されている各ファイルについて、新たな記憶がなされたときに装填されていた印章種類の情報をも含む上記管理情報を記憶しているファイル管理テーブルと、（３）登録指示時に、上記ファイル管理テーブルに格納されている管理情報を参照し、上記ファイル記憶手段に空きがある場合には上記ファイル記憶手段に新たなファイルを記憶させる登録部と、上記ファイル管理テーブルに格納されている管理情報を参照して、上記ファイル記憶手段に記憶されている１又は複数のファイルの中から指示されたファイルを呼出す呼出部とを少なくとも備えたファイル編集管理手段とを有し、（３’）上記呼出部は上記ファイル記憶手段に記憶されているファイルの中から任意の１つのファイルを呼出す指示がなされたときに、装置に装填されている第１の印章種類と、呼び出そうとするファイルについて上記管理情報が規定する第２の印章種類との関係が所定の関係のときのみ呼出を認めることを特徴とする。
【００１２】
また、第２の本発明は、入力文字列に応じた印影模様を、装置に装填されている印章の印面部材に形成させる印章作成装置において、文字列入力状態における、装填されている印章の交換を検出する装填印章交換検出手段と、この装填印章交換検出手段によって印章の交換が検出された場合において、交換後の印章種類が交換前の印章種類と同一であるとき、及び、交換後の印章種類が交換前の印章種類と同一ではなくても所定の関係があるときに、交換前の入力文字列を維持させ、上記以外のときに交換前の入力文字列を全消去させる文字列維持消去制御手段とを有することを特徴とする。
【００１３】
【発明の実施の形態】
以下、本発明の印章作成装置の一実施形態を図面を参照しながら詳述する。
【００１４】
（Ａ）実施形態の構成
この実施形態の印章作成装置は、大きくは、図２に示す電気的構成部（情報処理部や印影転写制御部など）と、図３に示す機構的光学的構成部（印刷部や光線照射部など）とから構成されている。なお、図３は印章本体の構成をも示している。
【００１５】
まず、この実施形態の電気的構成部を図２のブロック図を参照しながら説明する。
【００１６】
この電気的構成部は、主として、印影模様情報を取り込んで機構的光学的構成部を制御するためのものであって、一種の情報処理装置に該当するものであり、他の情報処理装置と同様に、大きくは、入力部１０、制御部２０及び出力部３０から構成されている。制御部２０は、入力部１０からの情報やその時点の処理段階等に応じた処理を実行し、その処理結果等に応じて出力部３０を介して機構的光学的構成部を制御するものである。
【００１７】
入力部１０は、キー入力部１１と、装置の状態を切り換える切換スイッチ１２と、各種の検出センサ群１３とから構成されている。
【００１８】
切換スイッチ１２は、例えばダイヤルスイッチで構成されており、電源オン、電源オフ、印章本体（印面部材）への露光起動、印章本体を収容する空間部の蓋体の開放を指示したりするものである。検出センサとしては、印章種類を検出するものや、インクリボンの装着を検出するものや、後述する製版シートの装着や位置を検出するものが設けられている。
【００１９】
キー入力部１１は、大きくは、文字入力のための一般的な操作信号を出力する選字ダイヤル又は文字キーでなる文字キー部と、文字入力以外の機能に係る操作信号や、入力文字の削除や記号文字入力等の文字入力のための特殊な操作信号を出力する機能キー部とからなる。機能キー部には、後述するファイル機能に係るファイルキーが設けられている。
【００２０】
出力部３０は、後述する機構的光学的構成部の各部を駆動制御する機構的光学的構成部駆動回路群３１と、表示装置３３の駆動回路３２とから構成されており、各駆動回路３１、３２は制御部２０の制御下で対応する構成部分を駆動する。
【００２１】
表示装置３３は、例えば６文字表示可能な液晶ディスプレイと、この液晶ディスプレイの周囲に配置されたＬＥＤでなる複数のインジケータとからなる。液晶ディスプレイには、ユーザに対するガイダンスメッセージや、ユーザが入力している文字列が表示される。各インジケータに関連した装置の表面位置には、そのインジケータに割り当てられている属性や状態を示す文字（例えば、文字サイズや入力の文字種など）が印刷されており、対応するインジケータの点灯、消灯、点滅によって現在の属性や状態の内容を示すようになされている。
【００２２】
なお、機構的光学的構成部駆動回路群３１は、種々の駆動回路からなっているが、ここではまとめて示している。機構的光学的構成部の要素の内には、後述するように、駆動制御が必要な構成要素が種々あり、実際上は、その各構成要素毎に駆動回路は存在する。
【００２３】
制御部２０は、例えばマイクロコンピュータによって構成されており、ＣＰＵ２１、ＲＯＭ２２、ＲＡＭ２３、キャラクタジェネレータＲＯＭ（ＣＧ−ＲＯＭ）２４、入力インタフェース２５及び出力インタフェース２６がシステムバス２７を介して接続されて構成されている。
【００２４】
ＲＯＭ２２には、ＣＰＵ２１が実行する、ファイル処理プログラム（図１参照）２２ａや印章交換時プログラム２２ｂ（図１１参照）を含めた印章作成のための各種の処理プログラムや、かな漢字変換用辞書データ等の固定データが格納されている。この実施形態の場合、固定データとして、ファイル呼出条件テーブル２２ｃ（図８参照）も格納されている。
【００２５】
ＲＡＭ２３は、ＣＰＵ２１によってワーキングメモリとして用いられるものであり、また、ユーザ入力に係る固定データが格納されるものである。ＲＡＭ２３は、電源オフ時にもバックアップされている。図２では、ＲＡＭ２３を内部ＲＡＭとして示しているが、外部ＲＡＭが増設されていても良い。また、ＲＡＭ２３の一部の機能を、ＥＥＰＲＯＭなどの書き換え可能な不揮発性メモリが担うものであっても良い。
【００２６】
この実施形態の場合、ＲＡＭ２３には、テキストエリア２３ａや表示バッファ２３ｂだけでなく、ファイルエリア２３ｃやファイル管理テーブル２３ｄが設けられている。
【００２７】
ＣＧ−ＲＯＭ２４は、当該印章作成装置に用意されている文字や記号のドットパターンを格納しているものであり、文字や記号を特定するコードデータが与えられたときに対応するドットパターンを出力するものである。
【００２８】
入力インタフェース２５は、入力部１０及び制御部２０間のインタフェースを行なうものであり、出力インタフェース２６は、出力部３０及び制御部２０間のインタフェースを行なうものである。
【００２９】
ＣＰＵ２１は、入力部１０からの入力信号やそのときの処理段階に応じて定まるＲＯＭ２２内の処理プログラムを、ＲＡＭ２３をワーキングエリアとして利用しながら、また、必要ならばＲＯＭ２２やＲＡＭ２３に格納されている固定データを適宜用いて処理するものであり、その処理状況や処理結果等を表示装置３３に表示させたり、機構的光学的構成部（図３）の各部を駆動して印章を作成させたりする。
【００３０】
次に、機構的光学的構成部及び印章本体の構成を、図３を参照しながら説明する。
【００３１】
印章本体４０は、台木４１と、印面部材凸部と紙面とのなじみを高めるためのスポンジ部材４３と、平板状の印面部材４２とから構成されている。印面部材４２は紫外線に無反応なベース層４２Ａと紫外線硬化樹脂層４２Ｂとからなり、紫外線硬化樹脂層４２Ｂが外部に露出している。紫外線硬化樹脂層４２Ｂは、硬化した部分以外が所定の液体（例えば水）によって除去できる。なお、図示は省略しているが、印章本体４０には、孔などの物理的な識別要素が設けられており、印章種類検出センサ（図２符号１３参照）が装置に装填されている印章種類を検出するようになされている。
【００３２】
図３に示す機構的光学的構成部は、大きくは、印刷構成と紫外線照射構成とからなっている。
【００３３】
印刷構成は熱転写方式に従うものであり、印刷ヘッド５０と、プラテンローラ５１と、インクリボン５２と、供給リール５３と、巻取リール５４と、インクリボン５２の進行方向変換用のローラ５５等からなっている。さらには、製版シート（図４参照）の挿入孔５６や、製版シートの排出孔５７や、製版シートの挿入孔５６から挿入された製版シートを印刷位置に案内する案内部材５８や、印刷位置から走行されてきたインクリボン５２及び製版シートを分離し、分離された製版シートを排出孔５７に案内する分離機構５９を備えている。
【００３４】
製版シート６０は、図４に中形角形印用のものを示すように、背面に接着剤が塗布されているシート本体６２と、その背面に設けられている剥離紙６１とからなる。製版シート６０は、印章の種類に拘らず、同じ大きさのものであり、印刷開始位置の基準を与える透孔６３Ａ、６３Ｂが対称的に穿設されている。シート本体６２は、印章の種類によって異なる印面部材４２の外形と同じ形状の部分６２Ａと、その他の部分６２Ｂとにハーフカットにより切り分かれており、部分６２Ａだけを剥せるようになされている。製版シート６０が挿入孔５６から差し込まれたときには、この製版シート６０の端部とインクリボン５２とが重ね合わされて、印刷ヘッド５０及びプラテンローラ５１間の印刷位置に位置する。
【００３５】
印刷ヘッド５０は、固定型又は可動型のものであり、制御部２０からの制御下で、発熱駆動回路（図２符号３１参照）が駆動動作したときに発熱してインクリボン５２のインクを製版シート６０に転写させるものである。熱転写方式のインクリボン５２においては、転写された部分はインクがなくなって透明となる。すなわち、転写後のインクリボン５２は、紫外線を透過できる部分（インクが除去された部分）と紫外線の透過を阻止する部分（インクが残っている部分）とからなる。そこで、印影模様（入力文字列）を印刷処理し、印影模様に応じた部分が透明となった転写後のインクリボン５２をネガフィルムとして利用することとした。
【００３６】
製版時において、印刷ヘッド５０及びプラテンローラ５１でなる印刷部を通過した重ね合わされた状態のインクリボン５２及び製版シート６０は、プラテンローラ５１等によって分離機構５９に達し、インクリボン５２及び製版シート６０が分離される。
【００３７】
分離された製版シート６０は排出孔５７に送り出される。一方、分離されたインクリボン５２のネガフィルム部分は、印章本体４０の紫外線硬化樹脂層４２Ｂに対向する位置で停止されるようになされている。このような製版時において走行されたインクリボン５２は、巻取リール５４によって巻き取られるようになされている。
【００３８】
排出孔５７から排出された製版シート６０における印刷部分６２Ａを剥がして印章本体４０の頂部に張り付けることにより、当該印章本体４０がどのような印面を有するものであるかを視認させることができる。
【００３９】
紫外線照射構成として、紫外線照射光源（例えば放物面鏡を有する）７０が固定的に設けられており、制御部２０によって点灯及び消灯が制御される。また、進退動する透明板７１が、インクリボン５２（ネガフィルム部分）を挾んで、印面部材４２の紫外線硬化樹脂層４２Ｂの反対側に設けられている。すなわち、紫外線照射光源７０から射出された紫外線が、透明板７１及びインクリボン５２を介して紫外線硬化樹脂層４２Ｂに達するようになされている。透明板７１は、進動位置（切換スイッチ１２が露光起動を指示しているときにとる位置）でネガフィルムとして機能するインクリボン５２と紫外線硬化樹脂層４２Ｂとの密着性を高め、退動位置でインクリボン５２の走行を邪魔をしないようになされている。
【００４０】
なお、紫外線照射光源７０及び透明板７１と、印章本体４０との、インクリボン５２（ネガフィルム部分）を挾んだ位置関係は、図３に示すものに限定されず、図３の紙面上方側に印章本体４０を設け、図３の紙面下方側に紫外線照射光源７０及び透明板７１を設けたものであっても良い。
【００４１】
（Ｂ）実施形態の一般的な印章作成手順
次に、この実施形態の印章作成装置を用いて印章を作成させるユーザが行なう一般的な手順の流れを説明する。
【００４２】
ユーザは、印影模様の形成がなされていない印章本体４０を装填後、切換スイッチ１２を操作して電源をオンした後、キー入力部１１の各種のキーを操作して印影模様情報（文字列）を入力させる。印影模様情報の入力は、印影を構成する文字列の入力だけでなく、文字の書体や縦書き横書きや文字サイズなどの各種の属性の入力も伴なう。
【００４３】
ユーザは、印影模様情報の入力が終了すると、レイアウト表示を実行させ、印影が所望するものであるか否かを確認する。レイアウト表示によって、印影の妥当性を確認したユーザは、製版シート６０を挿入孔５６から突き当たるまで挿入した後、キー入力部１１の製版キーを操作して、製版処理を実行させて、インクリボン５２にネガフィルム部分を作成させる。ＣＰＵ２１は、製版キーが操作されたときには、入力文字列に係る各種の属性に応じて、入力文字列をＲＡＭ２３上の印刷バッファに展開した後、印刷ヘッド５０やプラテンローラ５１などを駆動して印刷を実行させてネガフィルム部分を作成し、そのネガフィルム部分を印面部材４２の対向位置まで搬送させる。
【００４４】
製版処理が終了すると、ユーザは、切換スイッチ１２を操作して露光を指示する。ＣＰＵ２１は、紫外線照射光源７０を起動して紫外線を印面部材４２に照射させ、所定の照射時間の経過時に露光終了メッセージを表示させると共に、紫外線照射光源７０からの紫外線の照射を停止させる。これにより、印面部材４２の紫外線硬化樹脂層４２Ｂは、印影模様に応じた部分だけが硬化する。
【００４５】
露光が終了すると、ユーザは、切換スイッチ１２を操作して蓋体を開放させて、露光済みの印章本体４０を取り出す。その後、所定液体（例えば水）を収容している底部にブラシが取り付けられている容器に、取り出した印章本体４０の印面部材４２を浸漬させて往復動させて洗うことにより、非硬化部分を除去させて印面部材４２に凹凸を形成させて印章を完成させる。
【００４６】
（Ｃ）ファイル処理
この実施形態は、ユーザが入力した入力文字列や印刷属性（文字サイズや縦書き横書きなど）でなる印影模様情報をファイルとして、登録、管理できるようにしたことに特徴を有するものである。
【００４７】
なお、従来の印章作成装置においては、ファイル機能を有しているものはない。これは、印影模様が作成された印章本体４０は、印影模様をほぼ恒久的に維持しており、再度、その印影模様情報を入力させる必要性がないと考えられていたためである。
【００４８】
しかし、この実施形態の場合、例えば、相似形の複数の印章種類に、同一内容の相似形の印影模様を形成させたい要求があることや、時間的又は空間的に大きな隔たりがある状況で再度同一の印影模様を有する印章の作成が要求されることなどに鑑みて、ファイル機能を設けたものである。
【００４９】
図１は、ファイル処理プログラム２２ａを示すフローチャートである。キー入力部１１のファイルキーの操作によって、又は、メニューからの選択によって、ファイルの処理モードが指示されると、ＣＰＵ２１は、図１に示すファイル処理プログラム２２ａの処理を開始する。なお、ファイル処理プログラム２２ａの起動は、表示装置３３に文字列の入力画面が表示されていること（装置が文字列の入力状態にあること）を条件としている。
【００５０】
そして、メニュー選択等によって、ファイルに関する具体的な処理の種類を選択させて、その種類を判別する（ステップ１００、１０１）。なお、メニュー選択の場合において、カーソルを、直近の処理種類に位置させるようにしても良く、所定の処理種類に位置させるようにしても良い。
【００５１】
ＣＰＵ２１は、ファイルの登録処理を選択されると、図５に詳細を示すファイルの登録処理を行ない（ステップ２００）、ファイルの呼出処理を選択されると、図７に詳細を示すファイルの呼出処理を行ない（ステップ３００）、ファイルの消去処理を選択されると、図９に詳細を示すファイルの消去処理を行ない（ステップ４００）、ファイルの複写処理を選択されると、図１０に詳細を示すファイルの複写処理を行なう（ステップ５００）。
【００５２】
（Ｃ−１）ファイルの登録処理
次に、ファイルの登録処理の具体的内容を図５のフローチャートを参照しながら詳述する。
【００５３】
ＣＰＵ２１は、ファイルの登録処理に入ると、まず、入力文字列が存在するか否かや入力文字列は全て確定文字列か否かなどの登録が認められる印影模様情報の存在を確認する（ステップ２０１）。入力文字列が存在しない場合や入力文字列は存在するが未確定文字列が存在する場合には、登録できない旨のメッセージを表示装置３３に所定時間だけ表示させた後（ステップ２０２）、ファイル処理の開始前の状態である文字列の入力画面に表示を復帰させて一連の処理を終了する（ステップ２１１）。なお、登録できない旨のメッセージから文字列の入力画面への表示の切替えを、いずれかのキー操作を条件とするようにしても良い。
【００５４】
一方、全て確定文字列の入力文字列が存在すると、ＣＰＵ２１は、既に最大数のファイルが登録されているか否かや、ファイルエリア２３ｃに格納できる余裕（空）があるか否かを確認する（ステップ２０３）。既に最大数のファイルが登録されているか否かの確認は、ファイル管理テーブル２３ｄの後述する登録フラグに基づいて行う。また、ファイルエリア２３ｃに格納できる余裕（空）があるか否かの確認は、ファイル管理テーブル２３ｄに関連して格納されているファイルエリア２３ｃの使用済み容量と、テキストエリア２３ａの情報量との和を、ファイルエリア２３ｃの総容量と比較することで行う。今回の情報をファイルエリア２３ｃに格納できる状況にないと、ＣＰＵ２１は、エリアが許容量を越えて登録できない旨のメッセージを表示装置３３に所定時間だけ表示させた後（ステップ２０３）、ファイル処理の開始前の状態である文字列の入力画面に表示を復帰させて一連の処理を終了する（ステップ２１１）。なお、エリアが許容量を越えて登録できない旨のメッセージから文字列の入力画面への表示の切替えを、いずれかのキー操作を条件とするようにしても良い。
【００５５】
今回の情報をファイルエリア２３ｃに格納できる状況にあると、ＣＰＵ２１は、登録するエリアを規定する管理番号を選択させる（ステップ２０５）。この実施形態の場合、装置本体のＲＡＭ（２３）には最大１００件、増設ＲＡＭ（２３）にも最大１００件のファイルを登録できるようになされており、それぞれ、００〜９９の管理番号が付されている。なお、増設ＲＡＭについての管理番号を表示する場合には、丸付き数字で表示し、装置本体の管理番号と区別するようにしている。
【００５６】
管理番号の選択処理においては、図６に示すファイル管理テーブル２３ｄをアクセスして、未登録の最も小さい管理番号を初期候補として表示させ、その後、カーソル移動キー等によって次候補が指示されたときに番号順に候補を変更し、選択キーが押下されたときの管理番号を、これから登録するファイルの登録エリアの番号とする。このような選択方法に加えて、数字入力による選択をも許容するようにしても良く、この場合、登録フラグが未登録を表しているものを受け付け、登録フラグが登録を表している場合は直近の空エリアへ読み替えて受け付ける。
【００５７】
ファイルに関する各種処理の際に適宜アクセスされるファイル管理テーブル２３ｄは、図６に示すように、ファイル管理番号のそれぞれに対応付けられている印章種類、登録フラグ、先頭アドレス、データ長及び直近フラグからなる。
【００５８】
印章種類のエリアには、そのファイルが登録された際やそのファイルが複写先として格納された際において、装置に装填されていた印章の種類情報が格納される。登録フラグは、その管理番号にファイルが登録されているか否かを示すものである。先頭アドレスは、ファイルの先頭データが格納されているファイルエリア２３ｃのアドレスである。データ長は、ファイルのデータ長である。先頭アドレス及びデータ長によって、ファイルが格納されているファイルエリア２３ｃのエリアが特定される。１個のファイルについて、先頭アドレス及びデータ長が複数格納されていても良い。すなわち、１個のファイルを複数に分割して格納するようにしていても良い。直近フラグは、現時刻に最も近い前の時点でファイルの登録又は呼出がされたファイルを特定するものである。
【００５９】
ＣＰＵ２１は、上述のようにして、登録させる管理番号を選択させると、登録確認画面を表示装置３３に表示させた後、ユーザが操作したキーを判別して、登録実行の指示を待ち受ける（ステップ２０６、２０７）。ここで、登録確認画面は、管理番号を固定的に表示させる管理番号表示部分と、入力文字列の一部を表示させる文字列表示部分とからなり、実行キーが操作される前においては、カーソルキーなどの操作に応じて、文字列表示部分の入力文字列をスクロール表示させ、入力文字列の確認もできるようになされている。
【００６０】
なお、図５では、表記上の関係から、登録確認画面では実行キーを待ち受けるように記載しているが、取消キーなどの操作によって、上述した前の処理ステップにも戻ることができるようにすることが一般的である。
【００６１】
登録の実行が指示されたときには、ＣＰＵ２１は、テキストエリア２３ａに格納されている入力文字列やそれに付随する印刷属性などの印影模様情報を、ファイルエリア２３ｃの空領域に格納させる（ステップ２０８）。なお、氏名印や住所印などについては、住所とか氏名とか会社名とか部署名とかの項目を指定して、文字列を入力させるフォーム入力方式を採用しているが、そのフォーム形式でファイルエリア２３ｃに格納する。
【００６２】
続いて、ＣＰＵ２１は、装填されている印章種類を認識した後（ステップ２０９）、ファイル管理テーブル２３ｄのその選択された管理番号のエリアなどを更新し（ステップ２１０）、通常の文字列入力画面に表示装置３３の表示を復帰させて（ステップ２１１）、ファイルの一連の登録処理を終了する。
【００６３】
ファイル管理テーブル２３ｄの更新は、以下のように行う。印章種類としては、ステップ２０９で認識した情報を格納する。登録フラグをオンにする。ファイルエリア２３ｃに今回情報が格納されたエリアの先頭アドレスとそのデータ長とを、ファイル管理テーブル２３ｄの該当エリアに格納する。直近フラグをオンとすると共に、今までオンであった他の管理番号の直近フラグをオフにする。
【００６４】
（Ｃ−２）ファイルの呼出処理
次に、ファイルの呼出処理の具体的内容を図７のフローチャートを参照しながら詳述する。
【００６５】
ＣＰＵ２１は、ファイルの呼出処理に入ると、まず、ファイル管理テーブル２３ｃ（の登録フラグ）をアクセスして、登録されているファイルが存在するか否かを判別する（ステップ３０１）。登録されているファイルが１個も存在しない場合には、ＣＰＵ２１は、登録ファイルがない旨のメッセージを表示装置３３に所定時間だけ表示させた後（ステップ３０２）、通常の文字列入力画面に表示を復帰させて（ステップ３０３）、ファイルの一連の呼出処理を終了する。なお、登録ファイルがない旨のメッセージから文字列の入力画面への表示の切替えを、いずれかのキー操作を条件とするようにしても良い。
【００６６】
登録されているファイルが存在する場合には、ＣＰＵ２１は、装置に装填されている印章の種類を認識して表示させ（ステップ３０４）、その後、呼び出そうとするファイルの印章種類を選択させる（ステップ３０５）。呼び出そうとするファイルの印章種類の選択では、装填されている印章の種類を選択の初期候補とする。装填されている印章種類を候補とする場合を除き、候補の切り換えは、登録ファイルが存在する印章種類についてのみ行うようにすることが好ましい。
【００６７】
かかる選択がなされると、ＣＰＵ２１は、ファイル呼出条件テーブル２２ｃの内容に基づいて、その呼び出そうとするファイルの印章種類の選択は、装置に装填されている印章の種類との関係から許容されているか否かを判別する（ステップ３０６）。
【００６８】
各印章種類で印面の大きさや形状は異なっており、印章種類によって、入力行数や各行の文字数の許容値が異なるため、この実施形態の装置では、かかる判別ステップを設けている。
【００６９】
この実施形態の場合、図８に示すように、印章種類としては、「認印小」、「認印」、「角形印小」、「角形印中」、「会計印」、「氏名印」、「ビジネス印小」、「ビジネス印大」及び「住所印」がある。
【００７０】
このうち、「認印小」、「認印」、「角形印小」及び「角形印中」は、ほぼ円形、正方形という相違はあるが、概ね横方向と縦方向の長さが等しい外形を有するものであり、印面の大きさは、「認印小」、「認印」、「角形印小」及び「角形印中」の順に大きくなっている。以下、これらを「正方形型印」と呼ぶ。一方、「会計印」、「氏名印」、「ビジネス印小」、「ビジネス印大」及び「住所印」は、横方向及び縦方向の長さの一方が他方に比較してかなり長い矩形を有するものであり、印面の大きさは、「会計印」、「氏名印」、「ビジネス印小」、「ビジネス印大」及び「住所印」の順に大きくなっている。以下、これらを「矩形型印」と呼ぶ。
【００７１】
この実施形態の場合、図８に示すように、「正方形型印」についてのファイルの内容を「矩形型印」が装填されている場合に呼び出すことを禁止しており、逆に、「矩形型印」についてのファイルの内容を「正方形型印」が装填されている場合に呼び出すことを禁止している。
【００７２】
また、「正方形型印」同士の関係や「矩形型印」同士の関係では、ファイルに係る印章種類以上の大きさを有する印章種類の印章が装填されている場合のみ、ファイルの呼出を許容するようになされている。
【００７３】
以上のような呼出条件を設けていることにより、装填されている印章種類で許容されている入力行数や各行の文字数に違反したファイルの呼出を禁止することができる。
【００７４】
ＣＰＵ２１は、呼び出そうとするファイルの印章種類が、装填されている印章種類との関係から認められない場合には（ステップ３０６で否定結果）、印章が違う旨のメッセージを表示装置３３に所定時間だけ表示させた後（ステップ３０７）、通常の文字列入力画面に表示を復帰させて（ステップ３０３）、ファイルの一連の呼出処理を終了する。なお、印章が違う旨のメッセージから文字列の入力画面への表示の切替えを、いずれかのキー操作を条件にしても良い。また、ステップ３０７で印章が違う旨のメッセージを表示装置３３に所定時間だけ表示させた後においては、ステップ３０５に戻って呼び出そうとするファイルの印章種類の選択に戻るようにしても良い。
【００７５】
一方、ＣＰＵ２１は、呼び出そうとするファイルの印章種類が、装填されている印章種類との関係から認められる場合には（ステップ３０６で肯定結果）、ファイル管理テーブル２３ｃ（の登録フラグ及び印章種類）をアクセスして、選択印章種類について登録されているファイルが存在するか否かを判別する（ステップ３０８）。選択印章種類について登録されているファイルが１個も存在しない場合には、ＣＰＵ２１は、登録ファイルがない旨のメッセージを表示装置３３に所定時間だけ表示させた後（ステップ３０９）、通常の文字列入力画面に表示を復帰させて（ステップ３０３）、ファイルの一連の呼出処理を終了する。なお、ここでの登録ファイルがない旨のメッセージから文字列の入力画面への表示の切替えを、いずれかのキー操作を条件とするようにしても良い。また、ステップ３０９で登録ファイルがない旨のメッセージを表示装置３３に所定時間だけ表示させた後においては、ステップ３０５に戻って呼び出そうとするファイルの印章種類の選択に戻るようにしても良い。
【００７６】
選択印章種類について登録されているファイルが１個でもあると、ＣＰＵ２１は、呼び出すファイルを管理番号によって選択させる（ステップ３１０）。ここで、選択印章種類について登録されているファイルの中に直近フラグがオンのものがあれば、それを選択時の優先候補とする。直近フラグがオンのものがない場合や、直近フラグがオンのものがあるがそれ以外のものが求められた場合には、ファイル登録されている管理番号が小さいものから順に候補として選択させる。なお、管理番号の数字入力によって選択させるようにしても良い。
【００７７】
あるファイルが選択されると、ＣＰＵ２１は、ファイルエリア２３ｃに格納されている選択された管理番号に係る格納内容を読み出して管理番号と共に表示バッファ２３ｂに格納させ、ファイル内容確認画面を表示させる（ステップ３１１）。なお、この際には、テキストエリア２３ａ上の入力文字列などはそのままである。そして、ＣＰＵ２１は、呼出し実行の指示を待ち受ける（ステップ３１２）。ここで、ファイル内容確認画面も、管理番号を固定的に表示させる管理番号表示部分と、呼出文字列の一部を表示させる文字列表示部分とからなり、実行キーが操作される前においては、カーソルキーなどの操作に応じて、文字列表示部分の呼出文字列をスクロール表示させ、呼出文字列の確認もできるようになされている。
【００７８】
なお、図７では、表記上の関係から、ファイル内容確認画面では実行キーを待ち受けるように記載しているが、取消キーなどの操作によって、上述した前の処理ステップにも戻ることができるようにすることが一般的である。
【００７９】
確認処理後に呼出の実行が指示されたときには、ＣＰＵ２１は、ファイルエリア２３ｃから選択されたファイルの格納内容を読み出して、テキストエリア２３ａに上書きすると共に、その内容の通常の文字列入力画面を表示装置３３の表示させ、さらに、そのファイルに係る管理番号の直近フラグをオンとすると共に、今までオンであった他の管理番号の直近フラグをオフにして、ファイルの一連の呼出処理を終了する（ステップ３１３）。
【００８０】
なお、テキストエリア２３ａに対する上書き処理により、ファイル処理の指示前に存在していた入力文字列は、消去されたこととなる。
【００８１】
また、ファイルエリア２３ｃに格納されていた内容を、テキストエリア２３ａに上書きする際には、一部の印刷属性を変換するようにしても良い。
【００８２】
例えば、印章種類によって、外枠や文字囲みの種類が一部異なっている場合において、ファイルエリア２３ｃに格納されていた内容の外枠や文字囲みが、装填されている印章種類では存在しない場合に、外枠や文字囲み用の変換テーブル（図示せず）に基づいて、自動的に変換するようにしても良い。
【００８３】
また、例えば、文字サイズを絶対値で指定する印章作成装置であれば、格納内容での文字サイズを、文字サイズ用の変換テーブル（図示せず）に基づいて、装填されている印章種類に応じた文字サイズに自動的に変換するようにしても良い。なお、文字サイズを「大」、「中」、「小」などの相対値で指定する印章作成装置であれば、このような変換は不要であり、この点からは、文字サイズの相対値指定が好ましい。
【００８４】
（Ｃ−３）ファイルの消去処理
次に、ファイルの消去処理の具体的内容を図９のフローチャートを参照しながら詳述する。
【００８５】
ＣＰＵ２１は、ファイルの消去処理に入ると、まず、ファイル管理テーブル２３ｃ（の登録フラグ）をアクセスして、登録されているファイルが存在するか否かを判別する（ステップ４０１）。
【００８６】
登録されているファイルが１個も存在しない場合には、ＣＰＵ２１は、登録ファイルがない旨のメッセージを所定時間だけ表示装置３３に表示させた後（ステップ４０２）、文字列の入力画面に表示を復帰させて（ステップ４０９）、ファイルの一連の消去処理を終了する。なお、登録ファイルがない旨のメッセージから文字列の入力画面への表示の切替えを、いずれかのキー操作を条件とするようにしても良い。
【００８７】
登録されているファイルが存在する場合には、ＣＰＵ２１は、消去させるファイルを選択させる（ステップ４０３）。ここで、登録されているファイルの中に直近フラグがオンのものがあるか否かに拘わらず、ファイル登録されている（登録フラグがオンの）管理番号が小さいものから順に候補として選択させる。なお、管理番号の数字入力によって選択させるようにしても良い。また、登録ファイルが存在する印章種類を選択させた後に、その印章種類での登録ファイルから消去対象のファイルを選択させるようにしても良い。
【００８８】
あるファイルが選択されると、ＣＰＵ２１は、ファイルエリア２３ｃに格納されている選択された管理番号に係るファイル格納内容を読み出して管理番号と共に表示バッファ２３ｂに格納させ、ファイル内容確認画面を表示させる（ステップ４０４）。なお、この際には、テキストエリア２３ａ上の入力文字列などはそのままである。そして、ＣＰＵ２１は、内容確認により選択キーが操作されたか取消キーが操作されたかを判別する（ステップ４０５）。
【００８９】
ここでのファイル内容確認画面も、管理番号を固定的に表示させる管理番号表示部分と、呼出された文字列の一部を表示させる文字列表示部分とからなり、選択キー又は取消キーが操作される前においては、カーソルキーなどの操作に応じて、文字列表示部分の文字列をスクロール表示させ、文字列の確認もできるようになされている。
【００９０】
取消キーが操作された場合には、ＣＰＵ２１は、ステップ４０３に戻って消去対象ファイルの選択をやり直させる。
【００９１】
これに対して、消去対象ファイルの内容確認状態において、選択キーが操作されると、ＣＰＵ２１は、消去確認メッセージを表示装置３３に表示させ（ステップ４０６）、この表示に対して、ユーザが実行（選択）を指示したか否かを判別する（ステップ４０７）。取消が指示された場合には、ＣＰＵ２１は、ステップ４０３に戻って消去対象ファイルの選択をやり直させる。
【００９２】
選択キーの操作によって消去の実行が指示された場合には、ＣＰＵ２１は、選択された管理番号のファイルを消去した後（ステップ４０８）、文字列の入力画面に表示装置３３の表示を復帰させて（ステップ４０９）、ファイルの一連の消去処理を終了する。
【００９３】
ここで、消去処理は、ファイル管理テーブル２３ｄだけを操作することで行なっても、ファイル管理テーブル２３ｄ及びファイルエリア２３ｃの当該管理番号のファイルが格納されていた領域を操作することで行なっても良い。前者の場合には、登録フラグ及び直近フラグをオフにすると共に、印章種類、先頭アドレス及びデータ長をオール０又はオール１にする消去動作を行なうことになる。後者の場合には、このようなファイル管理テーブル２３ｄの操作に加えて、ファイルエリア２３ｃの当該管理番号のファイルが格納されていた格納領域をオール０又はオール１にする消去動作をも行なうことになる。
【００９４】
（Ｃ−４）ファイルの複写処理
次に、ファイルの複写処理の具体的内容を図１０のフローチャートを参照しながら詳述する。
【００９５】
ＣＰＵ２１は、ファイルの複写処理に入ると、まず、ファイル管理テーブル２３ｃ（の登録フラグ）をアクセスして、登録されているファイルが存在するか否かを判別する（ステップ５０１）。
【００９６】
登録されているファイルが１個も存在しない場合には、ＣＰＵ２１は、登録ファイルがない旨のメッセージを表示装置３３に所定時間だけ表示させた後（ステップ５０２）、文字列の入力画面に表示を復帰させて（ステップ５１２）、ファイルの一連の複写処理を終了する。なお、登録ファイルがない旨のメッセージから文字列の入力画面への表示の切替えを、いずれかのキー操作を条件とするようにしても良い。
【００９７】
登録されているファイルが存在する場合には、ＣＰＵ２１は、複写元のファイル（登録フラグがオンのファイル）を選択させる（ステップ５０３）。ここで、登録されているファイルの中に直近フラグがオンのものがあるか否かに拘わらず、ファイル登録されている（登録フラグがオンの）管理番号が小さいものから順に候補として選択させる。なお、管理番号の数字入力によって選択させるようにしても良い。
【００９８】
あるファイルが複写元として選択されると、ＣＰＵ２１は、既に最大数のファイルが登録されているか否かや、ファイルエリア２３ｃに複写先ファイルを格納できる余裕（空）があるか否かを確認する（ステップ５０４）。既に最大数のファイルが登録されているか否かの確認は、ファイル管理テーブル２３ｄの登録フラグが全てオンか否かに基づいて行う。また、ファイルエリア２３ｃに格納できる余裕（空）があるか否かの確認は、ファイル管理テーブル２３ｄに関連して格納されているファイルエリア２３ｃの使用済み容量と、複写元ファイルのデータ量との和を、ファイルエリア２３ｃの総容量と比較することで行う。複写先ファイルをファイルエリア２３ｃに格納できる状況にないと、ＣＰＵ２１は、エリアが許容量を越えて登録できない旨のメッセージを表示装置３３に所定時間だけ表示させた後（ステップ５０５）、ファイル処理の開始前の状態である文字列の入力画面に表示を復帰させて一連の処理を終了する（ステップ５１２）。なお、エリアが許容量を越えて登録できない旨のメッセージから文字列の入力画面への表示の切替えを、いずれかのキー操作を条件とするようにしても良い。
【００９９】
複写先ファイルの情報をファイルエリア２３ｃに格納できる状況にあると、ファイルエリア２３ｃに格納されている複写元として選択された管理番号に係るファイル格納内容を読み出して管理番号と共に表示バッファ２３ｂに格納させ、ファイル内容確認画面を表示させる（ステップ５０６）。なお、この際には、テキストエリア２３ａ上の入力文字列などはそのままである。そして、ＣＰＵ２１は、内容確認により選択キーが操作されたか取消キーが操作されたかを判別する（ステップ５０７）。
【０１００】
ここでのファイル内容確認画面も、管理番号を固定的に表示させる管理番号表示部分と、呼出された複写元ファイルの文字列の一部を表示させる文字列表示部分とからなり、選択キー又は取消キーが操作される前においては、カーソルキーなどの操作に応じて、文字列表示部分の文字列をスクロール表示させ、文字列の確認もできるようになされている。
【０１０１】
取消キーが操作された場合には、ＣＰＵ２１は、ステップ５０３に戻って複写元ファイルの選択をやり直させる。
【０１０２】
これに対して、複写元ファイルの内容確認状態において、選択キーが操作されると、ＣＰＵ２１は、複写先ファイルに係る管理番号（登録フラグがオフ）を選択させる（ステップ５０８）。ここでの選択では、登録フラグがオフの管理番号が小さいものから順に候補として選択させる。なお、管理番号の数字入力によって選択させるようにしても良い。
【０１０３】
複写先管理番号の選択がなされると、ＣＰＵ２１は、複写実行確認メッセージを表示させ（ステップ５０９）、この表示に対して、ユーザが実行を指示したか否かを判別する（ステップ５１０）。取消キーの操作によって非実行が指示された場合には、ステップ５０８に戻って複写先管理番号の選択を実行させる。
【０１０４】
選択キーの操作によって実行が指示された場合には、ＣＰＵ２１は、複写元として選択された管理番号のファイルを、選択された複写先管理番号のファイルとして複写した後（ステップ５１１）、文字列の入力画面に表示を復帰させて（ステップ５１２）、ファイルの一連の複写処理を終了する。
【０１０５】
複写時におけるファイル管理テーブル２３ｄの更新（ステップ５１１内の処理）は、以下のようになされる。複写先管理番号の印章種類としては、複写元の印章種類をそのまま格納する。複写先管理番号の登録フラグをオンにする。ファイルが複写されたファイルエリア２３ｃの格納領域の先頭アドレスを格納すると共に、そのデータ長を格納する。複写先管理番号の直近フラグをオンにする。一方、複写元ファイルについては、直近フラグがオンであればオフにすることを行なうだけであり、他のデータ更新は行なわない。
【０１０６】
（Ｄ）印章交換時処理
この実施形態は、入力済み文字列がある状態において、印章が交換された際の処理も従来と異なっている。以下では、入力済み文字列がある状態において印章が交換された際の処理を、図１１のフローチャートを参照しながら説明する。なお、ＲＡＭ２３には、装填されている印章種類の情報が不揮発的に格納されているものとする。また、印章の交換は、電源をオフにして行われるが、この際にもバックアップ電源の機能により、今まで装填されていた印章種類の情報は保持される。
【０１０７】
入力済み文字列がある状態において電源がオフされて印章が交換され、電源が再びオンされると、ＣＰＵ２１は、図１１に示す印章交換時プログラム２２ｂを開始する。なお、電源オン時には各種プログラムが実行されるが、入力済み文字列がある状態では、図１１に示す印章交換時プログラム２２ｂも実行される。
【０１０８】
そしてまず、ＣＰＵ２１は、印章種類検出センサに出力による（新たに装填された）印章の種類と、ＲＡＭ２３に格納されている今までの印章種類とを比較して、新たに装填された印章の種類は今までのものと同一であるか否かを判別する（ステップ６００）。
【０１０９】
同一であれば、ＣＰＵ２１は、一連の印章交換時処理を終了する。この場合には、テキストエリア２３ａや表示バッファ２３ｂに対するアクセスがなされないので、今までの文字列入力状態を継続する。
【０１１０】
一方、同一でなければ、ＣＰＵ２１は、新たに装填された印章の種類は、今までの印章種類のほぼ相似形であってそれより大きいものになっているか否かを判別する（ステップ６０１）。この判別には、例えば、図８に示すファイル呼出条件テーブル２２ｂを利用する。図８における「ファイルでの印章種類」を「今までの印章種類」と、「装填されている印章種類」を「新たに装填された印章種類」と読み替えて図８を利用し、両者で定まる欄に○が付されていれば、新たに装填された印章の種類は、今までの印章種類のほぼ相似形であってそれより大きいものになっているとして捉える。
【０１１１】
新たに装填された印章の種類は、今までの印章種類のほぼ相似形でなければ、又は、ほぼ相似形ではあるが、それより小さいものであれば、ＣＰＵ２１は、テキストエリア２３ａをクリアすると共に、表示バッファ２３ｂにおける入力文字列もクリアする（ステップ６０２）。すなわち、入力文字列を全消去させ、文字列の入力を最初からやり直す状態にする。
【０１１２】
このようなステップ６０２の処理を終了すると、また、新たに装填された印章の種類が、今までの印章種類のほぼ相似形であってそれより大きいものであると、ＣＰＵ２１は、ＲＡＭ２３における装填印章種類の情報を、新たに装填された印章の種類に更新し（ステップ６０３）、一連の印章交換時処理を終了する。なお、文字サイズ等の文字属性が絶対値指定されているような場合には、印章種類だけでなく、文字属性も新たな印章種類に合致するように更新される。
【０１１３】
新たに装填された印章の種類が、今までの印章種類のほぼ相似形であってそれより大きい場合にも、テキストエリア２３ａや表示バッファ２３ｂに対するアクセスがなされないので、今までの文字列入力状態を継続する。
【０１１４】
（Ｅ）実施形態の効果
上記実施形態の印章作成装置によれば、入力文字列や印刷属性などでなる印影模様情報をのファイル機能を設けたので、印章種類によって入力行数や各行の文字数の許容値が異なっていても、ある印章種類について入力された文字列の全て又は一部を、必要に応じて、他の印章種類の入力文字列として流用することができるようになる。
【０１１５】
ここで、ファイル呼出時には、ファイル登録時の印章の種類と相似関係にあって、大きさが等しいか大きいものだけを呼び出せるようにしたので、呼出時に装填されている印章の種類に許容されている入力行数や各行の文字数を満足させることができる。
【０１１６】
また、上記実施形態の印章作成装置によれば、印章種類の交換時において、交換後の印章の種類が交換前の印章の種類と相似関係にあって大きさが等しいか大きいときには、それまでの文字列入力状態を維持するようにしたので、ある印章種類について入力された文字列の全て又は一部を、必要に応じて、他の印章種類の入力文字列として流用することができるようになる。この場合にも、交換後の印章種類に許容されている入力行数や各行の文字数を満足させることができている。
【０１１７】
特に、文字サイズを相対値指定している場合には、以上のようなファイル機能や交換時処理機能により、複数の相似形の印章の作成が容易になる。
【０１１８】
（Ｆ）他の実施形態
上述した実施形態の説明においても、他の実施形態を適宜説明したが、さらに以下のような他の実施形態を挙げることができる。
【０１１９】
上記実施形態においては、ファイル機能の編集種類が、登録、呼出、消去及び複写であったが、他の編集種類を有していても良く、また、複写機能を省略しても良い。上記実施形態では、印章作成装置では印章の作成を目的としているため、ファイル格納内容だけの修正を行いたいという機会は少ないと見なして、ファイル格納内容を修正させる修正種類を設けていないが、修正種類を設けるようにしても良い。なお、実施形態でも、ある管理番号からの呼出、その管理番号のファイルの消去、呼び出したファイルでの文字列などの修正、消去した管理番号への登録によって、修正種類と同様な機能を実現できる。また、呼出及び登録によって、複写と同様な機能を実現できる。
【０１２０】
また、上記実施形態においては、複写時においては装填されている印章種類の情報が反映されないものであったが、反映させるようにしても良い。例えば、複写元ファイルの印章種類と装填されている印章の種類とが、図８に示すような相似形であって大きさが等しいか大きい関係にある場合には、複写先ファイルでの印章種類として、装填されている印章の種類を格納させるようにしても良い。
【０１２１】
さらに、上記実施形態においては、ファイル呼出時において、呼出条件が装填されている印章の種類が呼び出そうとするファイルでの印章種類と相似形であって、その印章種類の大きさに等しいか大きいことであったが、他の呼出条件を設定するようにしても良い。例えば、小さい相似形の印章種類が装填されている場合であっても、そのファイルでの行数や各行の文字列が、装填されている印章種類の許容値を満足する場合には、呼出を許容するようにしても良い。印章交換時における今までの入力文字列の全消去を実行するか否かの判別条件も、このようにしても良い。
【０１２２】
さらにまた、上記実施形態においては、印章種類はファイル登録数に無関係であったが、印章種類毎又は印章種類のグループ（例えば正方形型印や矩形型印）毎に登録可能な最大数を設定するようにしても良い。
【０１２３】
また、ファイル管理テーブルの構成も上記実施形態のものに限定されるものではない。例えば、ファイル名称や呼出回数を格納するようなファイル管理テーブルであっても良い。
【０１２４】
さらに、上記実施形態は、印面に凹凸を有する印章を作成させるものであったが、インクが印影模様に応じた小孔から染み出る孔版方式を採用している印章の作成装置に対しても本発明を適用することができる。
【０１２５】
【発明の効果】
以上のように、第１の本発明の印章作成装置によれば、文字列及び印刷属性でなる印影模様情報をそれぞれ別個のファイルとして、１又は複数個記憶するファイル記憶手段と、このファイル記憶手段に対して何個のファイルがどの領域に記憶されているかのファイルの記憶状況を管理する管理情報であって、ファイル記憶手段に記憶されている各ファイルについて、新たな記憶がなされたときに装填されていた印章種類の情報をも含む上記管理情報を記憶しているファイル管理テーブルと、登録指示時に、ファイル管理テーブルに格納されている管理情報を参照し、ファイル記憶手段に空きがある場合にはファイル記憶手段に新たなファイルを記憶させる登録部と、ファイル管理テーブルに格納されている管理情報を参照して、ファイル記憶手段に記憶されている１又は複数のファイルの中から指示されたファイルを呼出す呼出部とを少なくとも備えたファイル編集管理手段とを有し、呼出部はファイル記憶手段に記憶されているファイルの中から任意の１つのファイルを呼出す指示がなされたときに、装置に装填されている第１の印章種類と、呼び出そうとするファイルについて管理情報が規定する第２の印章種類との関係が所定の関係のときのみ呼出を認めるので、これら手段によるファイル機能により、ある印章種類について入力された文字列の全て又は一部を、必要に応じて、他の印章種類の入力文字列として流用することができる。
【０１２６】
また、第２の本発明の印章作成装置によれば、文字列入力状態における、装填されている印章の交換を検出する装填印章交換検出手段と、この装填印章交換検出手段によって印章の交換が検出された場合において、交換後の印章種類が交換前の印章種類と同一であるとき、及び、交換後の印章種類が交換前の印章種類と同一ではなくても所定の関係があるときに、交換前の入力文字列を維持させ、上記以外のときに交換前の入力文字列を全消去させる文字列維持消去制御手段とを有するので、ある印章種類について入力された文字列の全て又は一部を、必要に応じて、他の印章種類の入力文字列として流用することができる。
【図面の簡単な説明】
【図１】実施形態のファイル処理の概略を示すフローチャートである。
【図２】実施形態の電気的構成部を示すブロック図である。
【図３】実施形態の機構的光学的構成部を示す配置図である。
【図４】実施形態の製版シート６０の説明図である。
【図５】実施形態のファイル登録処理の具体例を示すフローチャートである。
【図６】実施形態のファイル管理テーブルの構成例を示す説明図である。
【図７】実施形態のファイル呼出処理の具体例を示すフローチャートである。
【図８】実施形態のファイル呼出条件テーブルの構成例を示す説明図である。
【図９】実施形態のファイル消去処理の具体例を示すフローチャートである。
【図１０】実施形態のファイル複写処理の具体例を示すフローチャートである。
【図１１】実施形態の印章交換時処理の具体例を示すフローチャートである。
【符号の説明】
１０…入力部、１１…キー入力部、２０…制御部、２１…ＣＰＵ、２２…ＲＯＭ、２２ａ…ファイル処理プログラム、２２ｂ…印章交換時処理プログラム、２２ｃ…ファイル呼出条件テーブル、２３…ＲＡＭ、２３ａ…テキストエリア、２３ｂ…表示バッファ、２３ｃ…ファイルエリア、２３ｄ…ファイル管理テーブル、３０…出力部。
【図１】
0003562957.tif 000002
【図２】
0003562957.tif 000003
【図３】
0003562957.tif 000004
【図４】
0003562957.tif 000005
【図５】
0003562957.tif 000006
【図６】
0003562957.tif 000007
【図７】
0003562957.tif 000008
【図８】
0003562957.tif 000009
【図９】
0003562957.tif 000010
【図１０】
0003562957.tif 000011
【図１１】
0003562957.tif 000012